(57)【要約】許可されたエンドユーザ（１０）がデジタルデータを記述通りに記録することを可能にする方法及び装置は、音楽業界に特に有用である。その理由は、オーディオデータ（２６）をインターネットで利用可能にすることができるが、オーディオデータが置かれ得る使用の制御を保持することができるからである。従って、所要のオーディオトラックの支払いを行う金融取引の完了時に、エンドユーザは、暗号化された音楽トラックをダウンロード及び解読し、それをエンドユーザのパーソナルコンピュータ（１０）で再生することが可能になる。エンドユーザはまた、ダウンロードされた音楽トラックを含むＣＤ（４６）を焼き付けることを許可され得る。しかし、音楽トラックがコピープロテクトと共に記録されると、エンドユーザは音楽トラックを解読してＣＤに記録することのみが可能になる。
2005529422.tif 000002
【特許請求の範囲】
【請求項１】
許可されたエンドユーザがデジタルデータを記録することを可能にする方法であって、
許可されたエンドユーザの要求時に暗号化された形式でデジタルデータを提供するステップと、
前記許可されたエンドユーザが解読されたデジタルデータをデータ記憶媒体に記録することを可能にするステップと
を有し、
前記解読されたデジタルデータのコピープロテクトを提供する手段と共に、前記解読されたデジタルデータが前記データ記憶媒体に記録され得ることのみを要求するステップを更に有する方法。
【請求項２】
請求項１に記載の許可されたエンドユーザがデジタルデータを記録することを可能にする方法であって、
前記許可されたエンドユーザが提供される前記デジタルデータを解読及び再生することを可能にする更なるステップを有する方法。
【請求項３】
請求項１又は２に記載の許可されたエンドユーザがデジタルデータを記録することを可能にする方法であって、
前記エンドユーザとデジタルデータの供給者の間の金融取引の完了時に、前記エンドユーザが提供された前記デジタルデータを解読及び再生することを許可するステップを有する方法。
【請求項４】
請求項１ないし３のうちのいずれか１項に記載の許可されたエンドユーザがデジタルデータを記録することを可能にする方法であって、
前記エンドユーザとデジタルデータの供給者の間の金融取引の完了時に、前記エンドユーザがコピープロテクトされた形式で複数のデータ記憶媒体に解読されたデータを記録することを許可するステップを有する方法。
【請求項５】
請求項４に記載の許可されたエンドユーザがデジタルデータを記録することを可能にする方法であって、
前記許可されたエンドユーザが、コピープロテクトされた形式で単一のデータ記憶媒体に解読されたデータを記録することのみが可能になる方法。
【請求項６】
請求項１ないし５のうちのいずれか１項に記載の許可されたエンドユーザがデジタルデータを記録することを可能にする方法であって、
解読されたデジタルデータのコピープロテクトを提供するために前記データ記憶媒体に記録された手段は、デジタル署名と、前記デジタル署名へのアクセスを必要とする確認ルーチンを有する方法。
【請求項７】
請求項１ないし６のうちのいずれか１項に記載の許可されたエンドユーザがデジタルデータを記録することを可能にする方法であって、
解読されたデジタルデータのコピープロテクトを提供する手段を前記データ記憶媒体に記録するために、不適当及び／又は不正確な制御データを前記データ記憶媒体にエンコードすることを有し、
前記不適当及び／又は不正確な制御データが、前記デジタルデータのリーダにより使用不可能である方法。
【請求項８】
請求項７に記載の許可されたエンドユーザがデジタルデータを記録することを可能にする方法であって、
前記データ記憶媒体にエンコードされた前記不適当な制御データが、アクセス不可能であり、一般的に読み取られず、又は前記デジタルデータの再生中に一般的に無視される方法。
【請求項９】
請求項１ないし８のうちのいずれか１項に記載の許可されたエンドユーザがデジタルデータを記録することを可能にする方法であって、
解読されたデジタルデータのコピープロテクトを提供する手段を前記データ記憶媒体に記録するために、記録可能データ記憶媒体で提供されるフォーマット及び／又は制御データを変更することを有する方法。
【請求項１０】
請求項１ないし９のうちのいずれか１項に記載の許可されたエンドユーザがデジタルデータを記録することを可能にする方法であって、
記録される前記デジタルデータは、インターネット経由でダウンロードされる方法。
【請求項１１】
請求項１ないし１０のうちのいずれか１項に記載の許可されたエンドユーザがデジタルデータを記録することを可能にする方法であって、
前記デジタルデータがオーディオデータ、映像、画像、及び／又はアプリケーションファイルであり、
前記データ記憶媒体がＣＤ又はＤＶＤのような光ディスクである方法。
【請求項１２】
請求項１ないし１１のうちのいずれか１項に記載の許可されたエンドユーザがデジタルデータを取得及び記録することを可能にする方法であって、
前記エンドユーザにより生成及び格納された鍵を利用して前記デジタルデータを暗号化した後に、前記エンドユーザにより必要なデジタルデータを提供し、
前記エンドユーザと前記デジタルデータの供給者の間の金融取引を完了して、前記エンドユーザが前記デジタルデータを取得することを許可し、
前記金融取引の完了を指示し、
それによって前記エンドユーザにより格納された前記鍵を利用して、前記エンドユーザが暗号化されたデジタルデータを取得及び解読することが可能になる方法。
【請求項１３】
請求項１２に記載の許可されたエンドユーザがデジタルデータを取得及び記録することを可能にする方法であって、
前記金融取引により取得された許可された権利を特定する情報と共に、暗号化されたデジタルデータを前記エンドユーザで格納し、前記許可された権利が前記デジタルデータを記録する権利を有し、
解読されたデジタルデータの記録を可能にする更なる鍵を取得する要求を生成することを更に有する方法。
【請求項１４】
請求項１３に記載の許可されたエンドユーザがデジタルデータを取得及び記録することを可能にする方法であって、
前記デジタルデータの許可された記録が行われると、前記更なる鍵が失効するようにされる方法。
【請求項１５】
許可されたエンドユーザがデジタルデータを記録することを可能にする装置であって、
暗号化された形式でデジタルデータを受信し、前記受信したデジタルデータを解読するように構成された処理手段と、
解読されたデジタルデータをデータ記憶媒体に記録する記録手段と
を有し、
コピーに対して前記デジタルデータをプロテクトする手段と共に、前記解読されたデジタルデータをデータ記憶媒体に記録する記録手段を制限する手段を更に有する装置。
【請求項１６】
請求項１５に記載の許可されたエンドユーザがデジタルデータを記録することを可能にする装置であって、
前記解読されたデジタルデータを再生するプレイヤを更に有する装置。
【請求項１７】
請求項１５又は１６に記載の許可されたエンドユーザがデジタルデータを記録することを可能にする装置であって、
前記処理手段がエンドユーザ装置に組み込まれ、
前記エンドユーザ装置はまた、前記解読されたデジタルデータを再生可能なメディアプレイヤを組み込む装置。
【請求項１８】
請求項１５ないし１７のうちのいずれか１項に記載の許可されたエンドユーザがデジタルデータを記録することを可能にする装置であって、
前記処理手段と前記記録手段とを組み込んだエンドユーザコンピュータを有する装置。
【請求項１９】
請求項１５ないし１７のうちのいずれか１項に記載の許可されたエンドユーザがデジタルデータを記録することを可能にする装置であって、
前記記録手段が、前記デジタルデータを解読する解読手段を有する記録装置に備えられ、
前記記録装置は、前記解読手段を制御可能な外部情報を受信するように構成された通信手段を更に有する装置。
【請求項２０】
請求項１９に記載の許可されたエンドユーザがデジタルデータを記録することを可能にする装置であって、
前記記録装置が、コピープロテクト情報をデータ記憶媒体にエンコード及び記録するコピープロテクト手段を更に有する装置。
【請求項２１】
請求項１ないし１４のうちのいずれか１項に記載の方法及び／又は請求項１５ないし２０のうちのいずれか１項に記載の装置により記録されているコピープロテクトされたデジタルデータを運ぶデータ記憶媒体。
【請求項２２】
コピープロテクトされたデジタルデータを運ぶデータ記憶媒体であって、
許可されたユーザに暗号化された形式で前記デジタルデータを提供し、前記許可されたエンドユーザが解読されたデジタルデータをデータ記憶媒体に記録することを可能にすることにより、前記デジタルデータがデータ記憶媒体に記録され、
前記解読されたデジタルデータのコピープロテクトを提供する手段と共に、前記解読されたデジタルデータが前記データ記憶媒体に記録されるように、前記解読されたデジタルデータの記録が制限されるデータ記憶媒体。
【請求項２３】
請求項１５ないし２０のうちのいずれか１項に記載のデジタルデータを記録する装置の動作をさせるように構成された実行可能アプリケーションファイル。
【請求項２４】
エンドユーザ装置がデジタルデータをデータ記憶媒体に記録させるように構成された実行可能アプリケーションファイルであって、
デジタルデータを暗号化するために使用された鍵を保持する命令と、
前記デジタルデータの記録を可能にする更なる鍵を取得する命令と、
前記保持された暗号化鍵を使用して前記デジタルデータを解読する命令と、
前記更なる鍵の受信に応じて、前記デジタルデータのコピープロテクトを追加して、解読されたデジタルデータの記録をもたらす命令と
を有する実行可能アプリケーションファイル。
【請求項２５】
請求項２４に記載の実行可能アプリケーションファイルであって、
個別のデジタルデータファイルを有するデータベースのカタログにアクセスする命令と、
選択されたデジタルデータファイル毎にそれぞれの前記鍵を生成する命令と
を更に有する実行可能アプリケーションファイル。
【請求項２６】
請求項２５に記載の実行可能アプリケーションファイルであって、
鍵を生成する命令が、前記エンドユーザとデジタルデータのデータベースのコントローラの間の金融取引の完了に依存する実行可能アプリケーションファイル。
【請求項２７】
許可されたエンドユーザがデジタルデータを記録することを可能にする方法であって、
前記エンドユーザとデジタルデータの供給者の間の金融取引の完了時に、前記エンドユーザが選択されたデジタルデータに対する合意による権利を有することを許可するステップと、
前記許可されたエンドユーザが前記選択されたデジタルデータを取得し、許可された権利に従って前記選択されたデジタルデータを使用することを可能にするステップと、
データ記憶媒体への前記選択されたデジタルデータの前記エンドユーザによる記録を可能にするステップと
を有し、
前記選択されたデジタルデータが暗号化された形式で利用可能になり、前記エンドユーザが許可された使用及び許可された記録に対して前記選択されたデジタルデータを解読することが可能になる方法。
【請求項２８】
請求項２７に記載の許可されたエンドユーザがデジタルデータを記録することを可能にする方法であって、
前記許可されたエンドユーザが前記選択されたデジタルデータをインターネットでダウンロードすることを可能にすることを更に有する方法。
【請求項２９】
請求項２７又は２８に記載の許可されたエンドユーザがデジタルデータを記録することを可能にする方法であって、
前記エンドユーザにより生成及び格納された鍵による暗号化の後に、前記選択されたデジタルデータを提供することを更に有し、
前記エンドユーザは、前記エンドユーザにより格納された鍵を使用して暗号化されたデジタルデータを解読することが可能になる方法。
【請求項３０】
請求項２７ないし２９のうちのいずれか１項に記載の許可されたエンドユーザがデジタルデータを記録することを可能にする方法であって、
金融取引により取得された許可された権利を特定する情報と共に、前記選択されたデジタルデータを前記エンドユーザで格納し、前記許可された権利は前記選択されたデジタルデータを記録する権利を有し、
前記選択されたデジタルデータの記録を可能にする更なる鍵を取得する要求を生成することを更に有する方法。
【請求項３１】
請求項３０に記載の許可されたエンドユーザがデジタルデータを記録することを可能にする方法であって、
前記選択されたデジタルデータの許可された記録が行われると、前記更なる鍵が失効するようにされる方法。
【請求項３２】
請求項２７ないし３１のうちのいずれか１項に記載の許可されたエンドユーザがデジタルデータを記録することを可能にする方法であって、
前記選択されたデジタルデータのコピープロテクトを提供する手段と共に、前記選択されたデジタルデータが前記データ記憶媒体に記録され得ることのみを要求するステップを更に有する方法。
【請求項３３】
請求項３２に記載の許可されたエンドユーザがデジタルデータを記録することを可能にする方法であって、
前記選択されたデジタルデータのコピープロテクトを提供するために前記データ記憶媒体に記録された手段は、デジタル署名と、前記デジタル署名へのアクセスを必要とする確認ルーチンを有する方法。
【請求項３４】
請求項２７ないし３３のうちのいずれか１項に記載の許可されたエンドユーザがデジタルデータを記録することを可能にする方法であって、
前記選択されたデジタルデータのコピープロテクトを提供する手段を前記データ記憶媒体に記録するために、不適当及び／又は不正確な制御データを前記データ記憶媒体にエンコードすることを有し、
前記不適当及び／又は不正確な制御データが、前記デジタルデータのリーダにより使用不可能である方法。
【請求項３５】
請求項３４に記載の許可されたエンドユーザがデジタルデータを記録することを可能にする方法であって、
前記データ記憶媒体にエンコードされた前記不適当な制御データが、アクセス不可能であり、一般的に読み取られず、又は前記デジタルデータの再生中に一般的に無視される方法。
【請求項３６】
許可されたエンドユーザが選択されたデジタルデータを記録することを可能にする装置であって、
金融サーバと通信して、それによって選択されたデジタルデータに対して前記エンドユーザの権利を取得するように金融取引が完了され得るように構成された処理手段を有し、
前記処理手段は、前記金融取引の完了時に前記選択されたデジタルデータを取得し、許可された権利に従って前記選択されたデジタルデータを使用するように構成され、
前記装置は、前記選択されたデジタルデータをデータ記憶媒体に記録する記録手段を更に有し、
前記選択されたデジタルデータが暗号化された形式で利用可能になり、前記処理手段が許可された使用及び許可された記録に対して前記選択されたデジタルデータを解読することが可能になる装置。
【請求項３７】
請求項３６に記載の許可されたエンドユーザがデジタルデータを記録することを可能にする装置であって、
前記処理手段が、前記選択されたデジタルデータをインターネットでダウンロードすることが可能になる装置。
【請求項３８】
請求項３６又は３７に記載の許可されたエンドユーザがデジタルデータを記録することを可能にする装置であって、
鍵を生成及び格納する手段と、
前記鍵を前記金融サーバに通信し、前記鍵を使用して前記選択されたデジタルデータの暗号化をもたらす手段と
を更に有する装置。
【請求項３９】
請求項３６ないし３８のうちのいずれか１項に記載の許可されたエンドユーザがデジタルデータを記録することを可能にする装置であって、
前記金融取引により取得された許可された権利を特定する情報と共に、前記選択されたデジタルデータを格納し、前記許可された権利が前記選択されたデジタルデータを記録する権利を有する手段と、
前記選択されたデジタルデータの記録を可能にする更なる鍵を取得する要求を生成する手段と
を更に有する装置。
【請求項４０】
請求項３６ないし３９のうちのいずれか１項に記載の許可されたエンドユーザがデジタルデータを記録することを可能にする装置であって、
前記記録手段が、前記選択されたデジタルデータと共に、コピープロテクト情報をデータ記憶媒体に記録するコピープロテクト手段を有する装置。
【請求項４１】
請求項３６ないし４０のうちのいずれか１項に記載の許可されたエンドユーザがデジタルデータを記録することを可能にする装置であって、
前記選択及び解読されたデジタルデータを再生するプレイヤを更に有する装置。
【請求項４２】
請求項３６ないし４１のうちのいずれか１項に記載の許可されたエンドユーザがデジタルデータを記録することを可能にする装置であって、
前記処理手段がエンドユーザ装置に組み込まれ、
前記エンドユーザ装置はまた、解読されたデジタルデータを再生可能なメディアプレイヤを組み込む装置。
【請求項４３】
請求項３６ないし４２のうちのいずれか１項に記載の許可されたエンドユーザがデジタルデータを記録することを可能にする装置であって、
前記処理手段と前記記録手段とを組み込んだエンドユーザコンピュータを有する装置。
【請求項４４】
請求項３６ないし４３のうちのいずれか１項に記載の許可されたエンドユーザがデジタルデータを記録することを可能にする装置であって、
前記記録手段が、前記デジタルデータを解読する解読手段を有する記録装置に備えられ、
前記記録装置は、前記解読手段を制御可能な外部情報を受信するように構成された通信手段を更に有する装置。
【請求項４５】
請求項２７ないし３５のうちのいずれか１項に記載の方法及び／又は請求項３６ないし４４のうちのいずれか１項に記載の装置により記録されているデジタルデータを運ぶデータ記憶媒体。
【請求項４６】
請求項３６ないし４４のうちのいずれか１項に記載のデジタルデータを記録する装置の動作をさせるように構成された実行可能アプリケーションファイル。
【請求項４７】
エンドユーザ装置がデジタルデータをデータ記憶媒体に記録することを可能にするように構成された実行可能アプリケーションファイルであって、
エンドユーザが選択されたデジタルデータを購入するためにエンドユーザとの金融取引を完了する命令と、
前記選択及び購入されたデジタルデータを前記エンドユーザに提供する命令と、
前記エンドユーザが前記選択されたデジタルデータを解読及び記録することを可能にする命令と
を有する実行可能アプリケーションファイル。
【請求項４８】
請求項４７に記載の実行可能アプリケーションファイルであって、
デジタルデータを有するデータベースのカタログにアクセスすることを可能にする命令と、
前記エンドユーザにより選択されたデジタルデータファイル毎に暗号化鍵を生成する命令と
を更に有する実行可能アプリケーションファイル。
【請求項４９】
添付図面を参照して実質的に記載されたように、許可されたエンドユーザがデジタルデータを記録することを可能にする方法。
【請求項５０】
添付図面を参照して実質的に記載されたように、許可されたエンドユーザがデジタルデータを記録することを可能にする装置。
【請求項５１】
添付図面を参照して実質的に記載されたように、コピープロテクトされたデジタルデータを運ぶデータ記憶媒体。
【請求項５２】
添付図面を参照して実質的に記載されたように、エンドユーザ装置がデジタルデータをデータ記憶媒体に記録させるように構成された実行可能アプリケーションファイル。
【発明の詳細な説明】
【技術分野】
【０００１】
本発明は、許可されたエンドユーザがデジタルデータを取得及び／又は記録し、そのデジタルデータの使用が制御されることを可能にする方法及び装置に関するものである。本発明はまた、コピープロテクトされたデータ記憶媒体と、そのプロテクトを可能にするアプリケーションファイルまで及ぶ。
【背景技術】
【０００２】
関連するデータファイルに対して消費者が支払いをした後に、消費者がオーディオデータのようなデジタルデータをダウンロードすることを可能にする技術が存在する。例えば音楽業界は、このように音楽を消費者に利用可能にしたいと考えており、消費者がダウンロード音楽をパーソナルコンピュータに格納する以上のことをしたいと思うのももっともであることを認識している。消費者がダウンロード音楽を記録可能コンパクトディスク（ＣＤ−Ｒ）に記録することができる場合には、例えばホームｈｉ−ｆｉ装置、車内に備えられたオーディオプレイヤ、及び／又は携帯用オーディオプレイヤで使用するために、ダウンロードしたトラックの編集物を運ぶデジタル音楽コンパクトディスク（ＣＤ−ＤＡ）を有する。消費者がそのようなＣＤを作成することを可能にする技術（すなわち、ＣＤレコーダ又はバーナー）は、現在では商業的に利用可能である。
【発明の開示】
【発明が解決しようとする課題】
【０００３】
当然のことながら、消費者が私的使用のために個人用ＣＤを作成するだけでなく、配布用の複数のコピーＣＤを作成するために、利用可能な技術を消費者が使用する現実の脅威が存在する。
【０００４】
本発明は、前記の問題に対処する必要性から生じ、許可されたユーザがダウンロード済デジタルデータを記録することを可能にする方法及び装置を提案する。その方法により、許可されたエンドユーザが作成可能な光ディスクのようなデータ記憶媒体の数が制御され、記録されたデータ記憶媒体がコピーに対してプロテクトされる。
【課題を解決するための手段】
【０００５】
本発明の第１の態様によると、許可されたエンドユーザがデジタルデータを記録することを可能にする方法が提供され、前記方法は、許可されたエンドユーザの要求時に暗号化された形式でデジタルデータを提供するステップと、許可されたエンドユーザが解読されたデジタルデータをデータ記憶媒体に記録することを可能にするステップとを有し、解読されたデジタルデータのコピープロテクトを提供する手段と共に、解読されたデジタルデータがデータ記憶媒体に記録され得ることのみを要求するステップを更に有する。
【０００６】
本発明の方法の実施例では、エンドユーザにより取得されたライセンスは、解読されたオーディオデータが記録され得る方法を決定する。何よりも、前記方法は、作成された如何なる記録も記録されたデジタルデータのコピープロテクトを備えることを要求する。更に、及び／又は代替として、ライセンスは、ダウンロード済デジタルデータが個々のデータ記憶媒体に記録され得る回数を制御する。
【０００７】
好ましくは、前記方法は、許可されたエンドユーザが提供されるデジタルデータを解読及び再生することを可能にする更なるステップを有する。このことにより、例えばダウンロードが実行されたコンピュータを使用してダウンロードされた音楽及びその他のデジタルデータをエンドユーザが再生することが可能になる。
【０００８】
本発明の方法の好ましい実施例では、前記方法は、エンドユーザとデジタルデータの供給者の間の金融取引の完了時に、エンドユーザが提供されるデジタルデータを解読及び再生することを許可するステップを有する。
【０００９】
エンドユーザがダウンロードデジタルデータを再生することと、所定の数のその記録を作成することの双方を行うことが可能になるように、ライセンス処理が構成されてもよい。代替として、エンドユーザによるダウンロード済デジタルデータの再生を可能にしてもよく、又は例えばバーナー若しくはエンドユーザに関連する他のレコーダによるデータ記憶媒体への記録を可能にしてもよい。
【００１０】
好ましい実施例では、前記方法は、エンドユーザとデジタルデータの供給者の間の金融取引の完了時に、エンドユーザがコピープロテクトされた形式で複数のデータ記憶媒体に解読されたデータの記録を許可するステップを有する。
【００１１】
例えば、エンドユーザはコピープロテクトされた形式で単一のデータ記憶媒体に解読されたデータの記録を可能にするようにのみしてもよい。
【００１２】
現在では、記録可能ＣＤ（ＣＤ−Ｒ及びＣＤ−ＲＷ）と、そのようなＣＤを記録する装置（バーナーとして既知である）は、一般的且つ商業的に利用可能である。更に、ＣＤのオーディオデータをコピープロテクトするために提案されたコピープロテクト技術が、利用可能なＣＤレコーダによる記録中におけるＣＤへの適用に適していることがわかる。従って、本発明の方法は、オーディオデータのＣＤへのダウンロード及び記録を制御するために即座に実施され得る。
【００１３】
しかし、本発明はオーディオデータでの使用に限定されず、本発明は画像や映像やその他のデータのダウンロード及び記録を制御するためにも同様に使用され得ることがわかる。例えば家庭使用のＤＶＤレコーダが近い将来広く利用可能になることが予想される。従って、本発明はオーディオデータの制御や、ＣＤへのオーディオデータの記録の制御についての用途の技術がここで例示されるが、これらに限定されない。
【００１４】
この明細書の説明及び特許請求の範囲において、取得されたデジタルデータの“再生”と、そのデータの“抽出”を区別する。従って、“再生”という用語は、デジタルデータをアナログ形式に処理することを示す。従って、デジタルデータを再生するように構成又は制御されたプレイヤ又はドライブは、“プレイヤ”と呼ばれる。従って、そのようなプレイヤは、音楽又はＣＤのその他のオーディオを単に再生するように機能する商用利用可能なＣＤ音楽プレイヤと、同様にＤＶＤに記録された映像を再生するビデオプレイヤとを含む。データ記憶媒体に追加された如何なるコピープロテクトも、デジタルデータのプレイヤの通常動作に一般的に影響を及ぼさないこと又は変化をもたらさないことが明らかに必要である。
【００１５】
データ記憶媒体に追加されるコピープロテクトは、“リッピング”を回避すること（すなわち、データがコピーできるようにデジタルデータの抽出及び格納の動作を回避すること）である。この点で、“リッピング”は、コンピュータのドライブ、又はデジタルデータを抽出及び格納するように制御可能なプレイヤのようなその他の装置で行われてもよい。この明細書の説明及び特許請求の範囲において、“データリーダ”という用語は、データ記憶媒体のデータを抽出するように構成又は制御され得る（従って“リッピング”に使用され得る）全てのプレイヤ及びドライブを示すために使用される。従って、データリーダは、例えばＣＤ−ＲＯＭからデータを抽出又はリッピングするように構成又は制御されたＣＤ−ＲＯＭドライブを含む。本発明の実施において、ＣＤ−ＲＯＭドライブが例えばオーディオ又は映像のようなダウンロード済デジタルデータを再生可能にするが、エンドユーザが許可されていない場合には、光ディスクのデジタルデータのコピーの作成に同じＣＤ−ＲＯＭが使用されることを回避可能にすることを要してもよい。
【００１６】
本発明の好ましい実施例では、解読されたデジタルデータのコピープロテクトを提供するためにデータ記憶媒体に記録された手段は、デジタル署名と、デジタル署名へのアクセスを必要とする確認ルーチンを有する。
【００１７】
この点において、コピープロテクトを提供するためにデジタル署名を利用する技術は周知である。例えば、アクセス制御情報がデータ記憶媒体で運ばれることについて、米国特許第６，３５３，８９０号に一例が記載されている。アクセス制御情報の存在が検出されると、データ記憶媒体で運ばれるデータは、アクセス制御情報又はデジタル署名に組み込まれた鍵の使用により解読され得る。
【００１８】
更に、及び／又は代替として、解読されたデジタルデータのコピープロテクトを提供する手段をデータ記憶媒体に記録するために、前記方法は、不適当及び／又は不正確な制御データをデータ記憶媒体にエンコードすることを有し、前記不適当及び／又は不正確な制御データはデジタルデータのリーダにより使用不可能である。
【００１９】
例えば、データ記憶媒体にエンコードされた不適当な制御データは、アクセス不可能であり、一般的に読み取られず、又はデジタルデータの再生中に一般的に無視される。
【００２０】
デジタルオーディオデータをプロテクトするためのＣＤへの不適当及び／又は不正確な制御データのエンコードを含む技術は、例えばＷＯ００／７４０５３とＷＯ０１／６１６９５とＷＯ０１／６１６９６に記載されている。
【００２１】
これらの従来の明細書において、例えば不適当なデータは、リードアウト（Ｌｅａｄ  Ｏｕｔ）のディスクの位置を誤って識別してもよく、ディスクが複数セッションを有するという事実を効果的に隠してもよく、及び／又はオーディオを不適当にデータとして識別してもよい。Ｔａｂｌｅ  ｏｆ  Ｃｏｎｔｅｎｔｓ（ＴＯＣ）のデータが不適当に処理されてもよい。更に、及び／又は代替として、ナビゲーション及び／又はタイミングデータが不適当に処理に処理されてもよく、及び／又はディスクのデータ構造を表す制御データが不適当に処理されてもよい。
【００２２】
好ましくは、データ記憶媒体に記録されるデジタルデータは、インターネット経由でダウンロードされている。
【００２３】
前述のように、本発明は、全ての形式のデジタルデータに適用可能であり、例えばそのデジタルデータはオーディオデータ、映像、画像、及び／又はアプリケーションファイルでもよい。データ記憶媒体は磁気ディスク又は光ディスクでもよく、光ディスクは例えばＣＤ又はＤＶＤでもよい。
【００２４】
許可されたエンドユーザがデジタルデータを取得及び記録することを可能にする本発明の実施例の方法は、エンドユーザにより生成及び格納された鍵を利用して暗号化した後に、エンドユーザにより必要なデジタルデータを提供し、エンドユーザとデジタルデータの供給者の間の金融取引を完了して、エンドユーザがデジタルデータを取得することを許可し、金融取引の完了を指示することを更に有してもよく、それによってエンドユーザにより格納された鍵を利用して、エンドユーザが暗号化されたデジタルデータを取得及び解読することが可能になる。
【００２５】
許可されたエンドユーザがデジタルデータを取得及び記録することを可能にする方法の実施例では、その方法は、金融取引により取得された許可された権利を特定する情報と共に暗号化されたデジタルデータをエンドユーザで格納し、その許可された権利はデジタルデータを記録する権利を有し、解読されたデジタルデータの記録を可能にする更なる鍵を取得する要求を生成することを更に有する。
【００２６】
好ましい実施例では、デジタルデータの許可された記録が行われると、その更なる鍵は失効するようにされる。
【００２７】
この更なる鍵の失効により、デジタルデータを記録するように許可された機能が取り消される。
【００２８】
本発明はまた、許可されたエンドユーザがデジタルデータを記録することを可能にする装置にまで及び、前記装置は、暗号化された形式でデジタルデータを受信し、受信したデジタルデータを解読するように構成された処理手段と、解読されたデジタルデータをデータ記憶媒体に記録する記録手段とを有し、前記装置は、コピーに対してデジタルデータをプロテクトする手段と共に、解読されたデジタルデータをデータ記憶媒体に記録する記録手段を制限する手段を更に有する。
【００２９】
実施例において、前記装置は、解読されたデジタルデータを再生するプレイヤを更に有する。
【００３０】
一構成において、処理手段はエンドユーザ装置に組み込まれ、前記エンドユーザ装置はまた、解読されたデジタルデータを再生可能なメディアプレイヤを組み込む。
【００３１】
一実施例において、前記装置は、前記処理手段と前記記録手段とを組み込んだ例えばパーソナルコンピュータの形式のエンドユーザを有してもよい。
【００３２】
代替の実施例において、記録手段は、デジタルデータを解読する解読手段を有する記録装置に備えられ、その記録装置は、前記解読手段を制御可能な外部情報を受信するように構成された通信手段を更に有する。
【００３３】
記録装置は、コピープロテクト情報をデータ記憶媒体にエンコード及び記録するコピープロテクト手段を更に有してもよい。
【００３４】
本発明の装置を構成する個々の要素は、ソフトウェア、ハードウェア、又はその組み合わせで構成されてもよいことがわかる。更に、個々の要素は、コンピュータの要素により、記録装置の要素により、及び／又は各々の要素により提供されてもよい。更に、及び／又は代替として、その要素のいくつか又は全てを含む別の専用の記録装置及びコピープロテクト装置が提供されてもよい。
【００３５】
１つの実装において、エンドユーザは、インターネットと通信するように構成されたパーソナルコンピュータにより構成される。コンピュータの処理手段は、受信したデジタルデータの解読を行うため、及び／又は記録装置の制御を行うために使用されてもよい。必要に応じて、記録装置は例えば処理手段を更に備えてもよい。
【００３６】
本発明はまた、前述の方法及び／又は装置により記録されているコピープロテクトされたデジタルデータを運ぶデータ記憶媒体にまで及ぶ。
【００３７】
本発明の更なる態様によると、定められた通りにデジタルデータを記録する装置の動作をさせるように構成された実行可能アプリケーションファイルが提供される。
【００３８】
本発明はまた、エンドユーザ装置がデジタルデータをデータ記憶媒体に記録させるように構成された実行可能アプリケーションファイルにまで及び、前記アプリケーションファイルは、デジタルデータを暗号化するために使用された鍵を保持する命令と、デジタルデータの記録を可能にする更なる鍵を取得する命令と、保持された暗号化鍵を使用してデジタルデータを解読する命令と、更なる鍵の受信に応じて、デジタルデータのコピープロテクトを追加して、解読されたデジタルデータの記録をもたらす命令とを有する。
【００３９】
好ましくは、実行可能アプリケーションファイルは、デジタルデータファイルを有するデータベースのカタログにアクセスする命令と、選択されたデジタルデータファイル毎に鍵を生成する命令とを更に有する。
【００４０】
実施例において、鍵を生成する命令は、エンドユーザとデジタルデータのデータベースのコントローラの間の金融取引の完了に依存する。
【００４１】
本発明の更なる態様によると、許可されたエンドユーザがデジタルデータを記録することを可能にする方法が提供され、前記方法は、エンドユーザとデジタルデータの供給者の間の金融取引の完了時に、エンドユーザが選択されたデジタルデータに対する合意による権利を有することを許可するステップと、許可されたエンドユーザが選択されたデジタルデータを取得し、許可された権利に従って選択されたデジタルデータを使用することを可能にするステップと、データ記憶媒体への選択されたデジタルデータのエンドユーザによる記録を可能にするステップとを有し、前記選択されたデジタルデータは暗号化された形式で利用可能になり、エンドユーザは許可された使用及び許可された記録に対して選択されたデジタルデータを解読することが可能になる。
【００４２】
好ましくは、前記方法は、許可されたエンドユーザが選択されたデジタルデータをインターネットでダウンロードすることを可能にすることを更に有する。
【００４３】
実施例において、前記方法は、エンドユーザにより生成及び格納された鍵による暗号化の後に、選択されたデジタルデータを提供することを更に有し、エンドユーザはエンドユーザにより格納された鍵を使用して暗号化されたデジタルデータを解読することが可能になる。
【００４４】
好ましくは、選択されたデジタルデータは、金融取引により取得された許可された権利を特定する情報と共に、エンドユーザで格納され、その許可された権利は選択されたデジタルデータを記録する権利を有し、前記方法は、選択されたデジタルデータの記録を可能にする更なる鍵を取得する要求を生成することを更に有する。
【００４５】
好ましい実施例では、前記方法は、選択されたデジタルデータのコピープロテクトを提供する手段と共に、選択されたデジタルデータがデータ記憶媒体に記録され得ることのみを要求するステップを更に有する。
【００４６】
本発明はまた、許可されたエンドユーザが選択されたデジタルデータを記録することを可能にする装置にまで及び、前記装置は、金融サーバと通信して、それによって選択されたデジタルデータに対してエンドユーザの権利を取得するように金融取引が完了され得るように構成された処理手段を有し、前記処理手段は、金融取引の完了時に選択されたデジタルデータを取得し、許可された権利に従って選択されたデジタルデータを使用するように構成され、前記装置は、選択されたデジタルデータをデータ記憶媒体に記録する記録手段を更に有し、前記選択されたデジタルデータが暗号化された形式で利用可能になり、前記処理手段が許可された使用及び許可された記録に対して選択されたデジタルデータを解読することが可能になる。
【００４７】
好ましくは、処理手段は、選択されたデジタルデータをインターネットでダウンロードすることが可能になる。
【００４８】
本発明の更なる態様によると、エンドユーザ装置がデジタルデータをデータ記憶媒体に記録することを可能にするように構成された実行可能アプリケーションファイルが提供され、前記アプリケーションファイルは、エンドユーザが選択されたデジタルデータを購入するためにエンドユーザとの金融取引を完了する命令と、選択及び購入されたデジタルデータをエンドユーザに提供する命令と、エンドユーザが選択されたデジタルデータを解読及び記録することを可能にする命令とを有する。
【発明を実施するための最良の形態】
【００４９】
本発明の実施例は、一例として添付図面を参照して以下に説明される。
【００５０】
本発明は、許可されたエンドユーザがデジタルオーディオデータを取得し、コピープロテクトされたＣＤを処理する方法でそのオーディオデータをＣＤに記録することを可能にするものとして、特にここで記載される。しかし、ここに記載される前記方法は、一般的なデジタルデータのダウンロード及び記録に適用可能であり、その記録は適切なデータ記憶媒体にされてもよい。
【００５１】
例えば、エンドユーザは映像、画像、オーディオデータ、アプリケーションデータ、その他のデジタルデータ、及び／又はこのようなデジタルデータの如何なる所要の組み合わせをダウンロードし、如何なる形式のＣＤ、如何なる形式のＤＶＤ、又はその他の如何なる形式の光ディスクにそのデータを記録するように許可されてもよい。本発明はまた、ミニディスクやフロッピー（登録商標）ディスクのようなその他のデータ記憶媒体へのデジタルデータのダウンロードを制御するために使用されてもよい。本発明は、単に一例としてオーディオデータのダウンロードに関連して以下に説明されるが、本発明はデジタルデータの種類に限定されず、デジタルデータが記録されるデータ記憶媒体の種類又はフォーマットに限定されない。
【００５２】
同様に、例示的な実施例において、ＣＤバーナーについての参照が行われる。しかし、本発明はＣＤの記録が可能な如何なるレコーダにも適用可能であり、同様にデータ記憶媒体への記録が可能な如何なるレコーダにも適用可能であることがわかる。本発明はＤＶＤレコーダを使用した記録を含むことがわかる。ＤＶＤレコーダは短期間に一般的に利用可能になることが予想される。
【００５３】
ここで説明される本発明は、音楽データをインターネットで利用可能にしたいと考えるが、同様にオーディオデータが置かれる使用の制御を保持したいと考える音楽業界の特有の必要性に合致するために生じた。ダウンロードされたオーディオデータを再生するように動作するのみならず、ダウンロードされたオーディオからデータを抽出することによりリッピングを可能にするリーダとして動作することができるパーソナルコンピュータを、エンドユーザが一般的に所有するようになるため、インターネット経由で音楽にアクセスすることを可能にする際に、明らかな危険が存在する。この点について、エンドユーザコンピュータはまたＣＤのレコーダ（一般的にはＣＤバーナー）を制御することも可能であり、それによりエンドユーザが私的使用の音楽をダウンロードするのみならず、配布用にその音楽の複数のコピーを作成するために必要な装置の全てを所有するようになる。
【００５４】
音楽業界は、インターネット経由で音楽を利用可能にする必要があるが、エンドユーザが音楽に対して支払いを行う金融取引の完了を条件とする。更に、音楽に対して支払いを行ったエンドユーザが、例えば携帯用オーディオプレイヤ、車内オーディオプレイヤ、又はｈｉ−ｆｉ装置に私的使用のためにＣＤにその音楽を記録することを可能にすることについては一般的に問題がないが、エンドユーザがダウンロードされた音楽を複数のＣＤに記録することを回避する必要がある。エンドユーザにより記録されたＣＤのオーディオデータをコピープロテクトする必要もある。本発明は、エンドユーザに対するオーディオ（実際にはその他のデジタルデータ）の供給の制御を可能にする手段を提供し、エンドユーザにより記録された如何なるＣＤ又はその他のデータ記憶媒体がコピープロテクトされることを確保する。この手段により、デジタル音楽又はその他のデジタルデータの供給者が、ダウンロードされたデータが置かれ得る使用の制御を保持する。
【００５５】
図１は、供給者により制御される方法で、オーディオがエンドユーザによりダウンロードされることを可能にする本発明の機構を概略的に示しており、その供給者は例えば音楽やその他のオーディオデータの発行者でもよい。この点について、エンドユーザコンピュータ１０のようなエンドユーザ装置は、１２で示される音楽サーバのカタログにインターネット経由でアクセスする。音楽発行者により提供された音楽サーバ１２は、販売可能な複数の音楽トラック１４を有する。音楽トラック１４は、暗号化又はコピープロテクトせずに音楽サーバ１２に格納されているが、音楽トラック１４への自由なアクセスは例えばファイアウォールにより回避される。
【００５６】
既知の方法で、エンドユーザコンピュータ１０は、音楽サーバ１２にログオンするために使用され、そのカタログをブラウズすることが可能になる。エンドユーザコンピュータ１０は、音楽サーバ１２で利用可能な音楽トラック１４のカタログから選択を行うことができる。エンドユーザは、音楽サーバ１２を制御する組織に対するアカウントを有してもよく、又はクレジットカードで音楽の支払いを行ってもよい。所要の音楽トラック１４を選択することにより、エンドユーザコンピュータ１０は、取引マネージャ１６及びクリアランスサービス１８を経由して２０で示される銀行サーバと通信する。これによってダウンロードされる音楽トラック１６に対する清算された支払いが認められる。金融取引の十分な完了により、クリアランスサーバ１８が１つ以上の応答コードを生成する。応答コードの提供により、選択されて支払いされた音楽トラック１４のダウンロードが可能になる。
【００５７】
応答コードの生成に応じて、エンドユーザコンピュータ１０は、エンドユーザコンピュータ１０にロックされた個別の鍵を生成するようにもたらされる。応答コードの供給に応じて、エンドユーザコンピュータ１０により要求された鍵サーバ２２を参照することにより、この鍵が生成される。好ましい機構では、更なるセキュリティのために、各音楽トラック１４は個々の応答コードを有しており、そのため個別の区別可能な鍵を有する。各鍵は、それが対応する音楽トラック１４の詳細と共に、取引マネージャ１６にあるデータベースに記録される。取引マネージャ１６は生成された各鍵の記録と、選択された対応する音楽トラック１６の記録と、購入されたトラックに対する権利を保持する。
【００５８】
鍵を生成する方法は、好みの問題である。一般的に、各鍵が特定のユーザコンピュータに個別になるように、鍵がエンドユーザコンピュータ１０のフィンガープリントを組み込んだ合成物であることが好ましい。好ましくは、鍵サーバ２２はキャリアとして機能するエンドユーザコンピュータ１０の鍵で鍵をホスティングする。
【００５９】
取引マネージャ１６からの情報は、購入された各音楽トラック１４を暗号化するために、ラッパ２４により使用される。鍵は暗号化の際に使用される。次に、エンドユーザコンピュータ１０は暗号化された形式で購入された各音楽トラックをダウンロードしてもよい。
【００６０】
エンドユーザコンピュータ１０がロックされた適切な鍵を有しているため、暗号化された各音楽トラック２６を解読し、その音楽トラックを再生することが可能になる。この点について、図１に示された処理は、例えば“ＳａｆｅＣａｓｔ”という名前でＭａｃｒｏｖｉｓｉｏｎ  Ｅｕｒｏｐｅ  Ｌｉｍｉｔｅｄで現在利用可能なデジタル権利管理及び取引処理でもよい。
【００６１】
前述のように、エンドユーザが音楽トラックをダウンロードして適切な支払い時に再生することを可能にする必要があるだけでなく、エンドユーザがこのような音楽トラックのアルバムを編集し、それをＣＤに焼き付けることを可能にする必要がある。しかし、ダウンロードされた音楽トラックの制御が保持されるように確保するために、エンドユーザにより作られた結果のＣＤがコピープロテクトされる必要がある。
【００６２】
図１に示されている権利管理及び取引処理により提供された複数の暗号化及びダウンロードされた音楽トラック２６から編集されたアルバムのＣＤへの焼き付けが、図２に示されている。図２に示すように、エンドユーザは、エンドユーザコンピュータ１０に格納された複数の暗号化された音楽トラック２６を選択してダウンロードする。これらの音楽トラックは、コンピュータ１０に備えられているアルバム編集器２８により構成される。この編集器２８は、例えばエンドユーザコンピュータにダウンロードされるようにもたらすソフトウェアにより構成されてもよい。従って、複数の暗号化された音楽トラックで構成されたアルバム３０が作られる。各音楽トラックは、解読のためにコンピュータ１０にロックされた鍵を必要とすることが思い出される。この点について、アルバム３０はまた、購入された権利及び解読に必要な鍵に関する各音楽トラック情報と共に格納する。これが図１の取引マネージャ１６で作られる情報である。
【００６３】
トラックを焼き付ける許可が購入されると、アルバム３０はインターネット経由で鍵サーバ２２に対して更なる鍵の要求を生成するように構成される。この更なる取引により、エンドユーザコンピュータ１０により制御されて、“一度限りの”鍵が記録装置３２に戻されてもよい。焼き付けエンジンとバーナー（図示なし）を組み込んだこの装置は、解読されたトラックをＣＤに焼き付けることが可能になる。しかし、記録装置３２はまた、焼き付け処理の間に解読された音楽トラックをコピープロテクトする必要があり、コピープロテクトするようにもたらされる。この点について、ほとんどの現在のＣＤバーナーは、ＣＤに書き込まれる制御データを変更し、及び／又はＣＤへの適切な認証ルーチンでデジタル署名を書き込むように指示されることが可能であり、それによって焼き付けられる時にコピープロテクト技術がＣＤに適用され得る。
【００６４】
記録装置３２が解読された音楽トラックをＣＤ４６に焼き付けることを可能にするために提供される更なる鍵は、一般的に単一使用の後に失効するように構成される。これが出願人の既知の“ＳａｆｅＣａｓｔ”技術であり、ダウンロードされた音楽トラックの単一のコピーのみが作成されるように確保するために使用され得る。当然のことながら、エンドユーザは１つより多いコピーを作成する権利を購入するように許可されてもよく、適切な更なる単一使用の鍵が生成されてもよい。代替として、複数使用の鍵が提供されてもよい。
【００６５】
図２に示す構成は、一般的にエンドユーザコンピュータ１０に利用可能にされたソフトウェアにより提供される。例えば、図１に示す処理により最初の音楽トラックが注文された時に、ソフトウェアがエンドユーザコンピュータ１０にダウンロードされてもよい。更に、及び／又は代替として、ディスク経由により、又はその他の発信源からのダウンロード可能なファイルとして、実行可能アプリケーションがエンドユーザコンピュータ１０に利用可能にされてもよい。好ましい一実施例では、Ｍｉｃｒｏｓｏｆｔの“Ｍｅｄｉａ  Ｐｌａｙｅｒ”のようなダウンロード可能な音楽用プレイヤは、本発明の方法を利用してダウンロード及びＣＤの焼き付けを行うために、図２に示すような必要な実行可能アプリケーションを組み込むように変更されてもよい。
【００６６】
図３は、コピープロテクト及び解読された音楽トラックをＣＤ４６に記録するために必要な装置が既存の技術を使用して構成される方法を示している。このように、図３は、インターネット経由でアルバム鍵サーバ３６と通信するコンピュータ１０を示している。このコンピュータ１０はＣＤ４６を記録するためにＣＤバーナー３４を制御する。コンピュータ１０内に、焼き付けエンジン３２を提供するソフトウェアが備えられている。この焼き付けエンジン３２は解読器３８を有する。
【００６７】
前述の通り、ダウンロードされたアルバムトラックを暗号化された形式で含むように編集されたアルバム３０が、コンピュータ１０に存在する。コンピュータ１０は、個別のトラックとトラック毎に購入された権利の詳細を解読するために必要な鍵に関する情報を含むアルバム鍵サーバ３６と通信する。このように、アルバム鍵サーバ３６は、購入されたトラックを焼き付ける権利があるか否かについての情報と、各トラックが記録され得る回数についての情報とを有する。アルバム鍵サーバ３６は、アルバムの記録を可能にする更なる鍵を受信又は生成するために、鍵サーバ２２の一部でもよく、又はそれと通信してもよい。次に、アルバム鍵サーバ３６は、焼き付けエンジン３２内の解読器３８が適切な鍵で各トラックを取得及び解読し、そのオーディオトラックをバーナー３４経由でＣＤ４６にエンコードすることを可能にする。この点について、図示のように、オーディオデータ又は主要チャネルデータがオーディオデータ又は主要チャネル４０を経由してバーナー３４に経路選択され、適切なコピープロテクトが制御チャネル４２を経由してＣＤ４６に追加されるように示されている。
【００６８】
当然のことながら、装置を構成する多様な要素は、要件に応じてハードウェア、ソフトウェア又は双方の組み合わせで構成されてもよい。更に、図３に示される実施例では、コンピュータ１０はソフトウェアの必要な処理手段とデータの記憶装置を提供するものとして示されているが、処理及び記憶機能を行うことを可能にするように新世代のＣＤバーナーが構成されてもよい。
【００６９】
この点について、図３に示される装置を使用する際に、ダウンロードされた音楽トラックから解読され、コピープロテクトと共にＣＤ４６にエンコードされるものが、プロテクトされていない暗号化されていない純粋なオーディオデータであるため、このようなオーディオデータがエンドユーザコンピュータ１０内に存在する可能性がある。従って、そのオーディオデータを見つけて引き出すことが可能であり、それによって複数のプロテクトされていないコピーが作成され得るという危険が存在する。これに対して保護するために、図４に示されるような次世代のＣＤバーナーが暗号化されたデータを受信する処理機能とソフトウェアを組み込むことが提案されている。
【００７０】
図４は、図３と同じソフトウェア及びハードウェア要素を示しているが、コンピュータ１０と焼き付けエンジン３２とバーナー３４を通じたこれらの要素の配置が再構成されている。従って、一般的に焼き付けエンジン３２として知られるバーナー３４を制御するソフトウェアはコンピュータ１０内に残るが、新世代のバーナー３４は、音楽を解読してＣＤ４６に焼き付ける機能を備えている。図４に示される装置の動作は、図３のものと実質的に同一であることがわかる。
【００７１】
焼き付けられたＣＤをコピープロテクトする方法は、必要に応じて選択され得ることがわかる。例えば、ＵＳ６，３５３，８９０に記載されているように、再生中にＣＤがドライブ内に保持されることを要するデジタル署名が備えられてもよい。
【００７２】
更に、及び／又は代替として、例えばＷＯ００／７４０４５３に記載されているように不適当及び／又は不正確な制御データがＣＤにエンコードされてもよい。不適当に処理される制御データは、例えばディスクのリードイン（Ｌｅａｄ  Ｉｎ）へのリードアウト（Ｌｅａｄ  Ｏｕｔ）のディスク位置を不適当に特定してもよい。例えば、リードインのデータは、リードアウトの開始時のＡｔｉｍｅがゼロであるように示してもよい。代替として、リードインのデータはＣＤの最初のオーディオトラック中に発生するリードアウトの開始時のＡｔｉｍｅの値を有してもよい。更に、及び／又は代替として、トラックの種類を特定するＣＤのデータが、各オーディオトラックをデータトラックとして不適当に特定してもよい。
【００７３】
好ましい実施例において、ＣＤのＴａｂｌｅ  ｏｆ  Ｃｏｎｔｅｎｔｓ（ＴＯＣ）のデータが不正確に処理されてもよい。この実施例では、ディスクが複数セッションを有するように構成されている場合には、これらのセッションのほとんどの存在がデータリーダから隠されることが可能になる。
【００７４】
例えばＷＯ００／７４０５３に記載された方法は、データリーダがディスクのデータを抽出することを妨げる。更に、ＣＤ−ＲＯＭドライブのようなデータリーダは、ディスクに焼き付けられたオーディオを単に再生することが不可能である。しかし、この発明において、ダウンロードされたファイルがエンドユーザコンピュータ１０により再生可能である場合には、オーディオプレイヤでのみＣＤを再生することを可能にする焼き付けられたＣＤへのコピープロテクトの提供が非常に受け入れられる。
【００７５】
しかし、新世代のバーナーを制御して、例えばＷＯ０１／６１６９５及びＷＯ０１／６１６９６に記載されているようなコピープロテクト技術を使用することも可能である。この後者の技術は、コピープロテクトされたディスクを再生するためにデータリーダの使用を一般的に妨げずに、データリーダによるコピーを回避し、又は作成されうる如何なるコピーを劣化させる。
【００７６】
コンパクトディスク、その他の光ディスク、及びその他のデータ記憶媒体をコピープロテクトするその他の方法が必要に応じて利用されてもよいことがわかる。
【００７７】
図１から図４のそれぞれに示される機構は、その実装のために適切なソフトウェアルーチンを必要とすることがわかる。適切なソフトウェアルーチンの提供は、当業者の能力範囲内であり、更なる説明は必要でない。
【００７８】
特許請求の範囲内で、記載されて図示された実施例に対して変更及び変形が行われ得ることがわかる。
【図面の簡単な説明】
【００７９】
【図１】エンドユーザコンピュータへのオーディオデータのダウンロードを示したものである。
【図２】エンドユーザコンピュータでのアルバムの記録を示したものである。
【図３】現在のＣＤバーナーを利用してオーディオデータをＣＤに記録する記録装置の実施例を概略的に示したものである。
【図４】専用のＣＤバーナーの構成を示すオーディオデータをＣＤに記録する記録装置の実施例を概略的に示したものである。
【図１】
2005529422.tif 000003
【図２】
2005529422.tif 000004
【図３】
2005529422.tif 000005
【図４】
2005529422.tif 000006
【国際調査報告】
2005529422.tif 000007
2005529422.tif 000008
2005529422.tif 000009
2005529422.tif 000010
2005529422.tif 000011
2005529422.tif 000012